(57)【要約】【課題】主に各種電子機器に使用される開閉装置に関し、開閉操作時の音や衝撃が少なく、良好な感触の操作が可能なものを提供することを目的とする。【解決手段】可動カム２６の固定カム２に弾接する当接部２６Ａを、反転カム１２に弾接する当接部２６Ｂよりも、固定カム２方向に突出形成することによって、反転カム１２が移動した後に固定カム２に弾接する当接部２６Ａが、反転カム１２に弾接する当接部２６Ｂよりも固定カム２方向に突出形成され、当接部２６Ａと固定カム２との間隙が殆んどないように形成されているため、反転カム１２が移動した後の当接部２６Ａの固定カム２への衝突が生じず、開閉操作時の音や衝撃が少なく、良好な感触で操作を行うことが可能な開閉装置を得ることができる。【選択図】図１
2010249285.tif 000002
【特許請求の範囲】
【請求項１】
固定カムが形成された固定体と、この固定体に対し回転可能に配置されると共に、上記固定カムとの対向面に可動カムが形成された可動体と、上記可動カムを上記固定カムの方向へ付勢するばねと、軸線方向に移動可能に配置されると共に、上記可動カムとの対向面に反転カムが形成された反転体からなり、上記可動カムの上記固定カムに弾接する当接部を、上記反転カムに弾接する当接部よりも、上記固定カム方向に突出形成した開閉装置。
【発明の詳細な説明】
【技術分野】
【０００１】
本発明は、主に携帯電話やパーソナルコンピュータ等の各種電子機器に使用される開閉装置に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、良好な感触で開閉操作を行なえるものが求められている。
【０００３】
このような従来の開閉装置について、図５〜図７を用いて説明する。
【０００４】
なお、これらの図面は構成を判り易くするために、部分的に寸法を拡大して表している。
【０００５】
図６は従来の開閉装置の断面図、図７は同分解斜視図であり、同図において、１は略円筒状の固定体で、この外周右端部には右方へ突出した略三角形状の一対の固定カム２が形成されている。
【０００６】
そして、３は固定軸、４は略円筒状の固定ケースで、固定軸３の中間部には固定体１が、左端部には固定ケース４が各々固着されている。
【０００７】
また、５は略円筒状の可動体で、固定体１に対し開閉方向へ回転可能に、かつ軸線方向へ移動可能に配置されると共に、外周左端部には左方へ突出した略三角形状の一対の可動カム６が形成されている。
【０００８】
そして、７は略円筒状の可動ケースで、この可動ケース７内に可動体５が軸線方向へは移動可能で、回転方向へは可動ケース７と一体となって回転するように収納されている。
【０００９】
さらに、可動ケース７の左端開口部には固定ケース４が回転可能に装着されると共に、固定軸３が可動ケース７内を挿通し、右端部が止め輪８によって可動ケース７外側面に回転可能に装着されている。
【００１０】
また、９はコイル状のばねで、可動体５右側面と可動ケース７内側面の間にやや撓んだ状態で装着され、このばね９によって、可動体５が左方の固定体１の方向へ付勢されている。
【００１１】
そして、１０は略円筒状の反転体、１１は略円盤状の解除体で、反転体１０の外周右端部には右方へ突出した略三角形状の一対の反転カム１２が、解除体１１の外周右端部には同じく一対の解除カム１３が各々形成されている。
【００１２】
さらに、反転体１０内には固定体１が挿通され、反転体１０が固定体１外周にガイドされて軸線方向へ移動可能に、解除体１１が回転可能なように、各々固定ケース４に装着されている。
【００１３】
そして、１４は巻ばねで、やや捩られた状態で一端が解除体１１に係止されると共に、この巻ばね１４によって解除体１１が所定角度に復帰するように形成されている。
【００１４】
また、１５は外周右端部に右方へ突出した一対の押圧カム１６が形成された押圧体で、固定軸３左端に軸線方向へ移動可能に装着されると共に、この押圧体１５がやや撓んだ状態のコイル状のばね１７に付勢され、左端が固定ケース４から左方へ突出して、開閉装置２０が構成されている。
【００１５】
そして、このように構成された開閉装置２０が、例えば、図５の携帯電話の斜視図に示すように、固定ケース４が、上面に複数のキーが配列された操作部２１Ａやマイクロフォン等の音声入力部２１Ｂが形成された固定筐体２１へ、可動ケース７が、前面に液晶表示素子等の表示部２２Ａやスピーカ等の音声出力部２２Ｂが形成された可動筐体２２へ各々固着される。
【００１６】
また、押圧体１５には押釦が装着され、この押釦が固定筐体２１側面から突出すると共に、上記のように開閉装置２０によって、固定筐体２１上端に可動筐体２２下端が開閉可能に軸支されて電子機器が構成される。
【００１７】
以上の構成において、図６に示すように、可動カム６の先端が反転カム１２上側の傾斜部に弾接した状態では、可動体５がばね９によって上方向の閉方向へ付勢されているため、可動ケース７が装着された可動筐体２２には閉方向への付勢力が働き、可動筐体２２が固定筐体２１に対して閉じた状態で保持されている。
【００１８】
また、この閉状態から、指で固定筐体２１側面の押釦を押圧操作すると、押釦が装着された押圧体１５の押圧カム１６が解除カム１３を押圧して、解除体１１が巻ばね１４を撓めながら回転し、解除カム１３が反転体１０左端から外れて、反転カム１２が左方向へ移動する。
【００１９】
そして、ばね９に付勢された可動カム６が、図６に示す固定カム２との間隙Ｌだけ左方向へ移動して、先端が固定カム２の下側の傾斜部に弾接し、可動カム６が固定カム２上を弾接摺動して下方向へ回転することによって、可動体５及び可動ケース７が下方向の開方向へ付勢され、この力によって可動筐体２２には開く方向の力が加わり、可動筐体２２が固定筐体２１に対して所定角度、例えば通話等の行い易い１８０度近くに開いた状態で保持される。
【００２０】
また、この開状態から、可動筐体２２を手で閉じる方向へ押圧して所定角度まで閉じると、上記とは逆に、可動カム６が固定カム２上を弾接摺動した後、反転カム１２上側の傾斜部に弾接して、図６に示した状態に戻り、可動筐体２２が携帯し易い閉じた状態で保持される。
【００２１】
つまり、手による開閉操作に加え、可動筐体２２を開く際には、押釦の押圧操作によって、反転カム１２を左右方向、すなわち軸線方向に移動させて、可動筐体２２をワンタッチで開く、所謂ワンタッチオープン操作が行えるように構成されているものであった。
【００２２】
なお、この出願の発明に関連する先行技術文献情報としては、例えば、特許文献１が知られている。
【先行技術文献】
【特許文献】
【００２３】
【特許文献１】特開２００８−１３８７６３号公報
【発明の概要】
【発明が解決しようとする課題】
【００２４】
しかしながら、上記従来の開閉装置においては、押圧体１５を押圧操作して可動筐体２２をワンタッチオープン操作する際、反転体１０が左方向へ移動した後、ばね９に付勢された可動カム６が間隙Ｌだけ左方向へ移動して、反転カム１２から固定カム２下側の傾斜部に弾接するため、この可動カム６の固定カム２への衝突によって、特に可動筐体２２の開操作を急速に行った場合には、大きな音や手への衝撃が生じてしまうことがあるという課題があった。
【００２５】
本発明は、このような従来の課題を解決するものであり、開閉操作時の音や衝撃が少なく、良好な感触の操作が可能な開閉装置を提供することを目的とする。
【課題を解決するための手段】
【００２６】
上記目的を達成するために本発明は、可動カムの固定カムに弾接する当接部を、反転カムに弾接する当接部よりも、固定カム方向に突出形成して開閉装置を構成したものであり、反転カムが移動した後に固定カムに弾接する可動カムの当接部が、反転カムに弾接する当接部よりも固定カム方向に突出形成され、可動カムと固定カムとの間隙が殆んどないように形成されているため、反転カムが移動した後の可動カムの固定カムへの衝突が生じず、開閉操作時の音や衝撃が少なく、良好な感触で操作を行うことが可能な開閉装置を得ることができるという作用を有するものである。
【発明の効果】
【００２７】
以上のように本発明によれば、開閉操作時の音や衝撃が少なく、良好な感触で操作の可能な開閉装置を実現することができるという有利な効果が得られる。
【図面の簡単な説明】
【００２８】
【図１】本発明の一実施の形態による開閉装置の断面図
【図２】同分解斜視図
【図３】同部分斜視図
【図４】同カム動作図
【図５】携帯電話の斜視図
【図６】従来の開閉装置の断面図
【図７】同分解斜視図
【発明を実施するための形態】
【００２９】
以下、本発明の実施の形態について、図１〜図５を用いて説明する。
【００３０】
なお、これらの図面は構成を判り易くするために、部分的に寸法を拡大して表している。
【００３１】
また、背景技術の項で説明した構成と同一構成の部分には同一符号を付して、詳細な説明を簡略化する。
【００３２】
（実施の形態）
図１は本発明の一実施の形態による開閉装置の断面図、図２は同分解斜視図であり、同図において、１は略円筒状で鋼や銅合金、焼結合金等の金属製の固定体で、この外周右端部には右方へ突出した略三角形状の一対の固定カム２が形成されている。
【００３３】
そして、３は金属製の固定軸、４は略円筒状で金属製の固定ケースで、固定軸３の中間部には固定体１が、左端部には固定ケース４が各々固着されている。
【００３４】
また、２５は略円筒状で金属製の可動体で、固定体１に対し開閉方向へ回転可能に、かつ軸線方向へ移動可能に配置されると共に、外周左端部には左方へ突出した略三角形状の一対の可動カム２６が形成されている。
【００３５】
さらに、この可動カム２６は、図３の部分斜視図に示すように、内周側の当接部２６Ａと、これとは段差のある外周側の当接部２６Ｂから形成され、内周側の当接部２６Ａは外周側の当接部２６Ｂよりも、固定カム２の方向に突出して形成されている。
【００３６】
そして、この可動体２５が略円筒状で金属製の可動ケース７内に、軸線方向へは移動可能で、回転方向へは可動ケース７と一体となって回転するように収納されている。
【００３７】
また、可動ケース７の左端開口部には固定ケース４が回転可能に装着されると共に、固定軸３が可動ケース７内を挿通し、右端部が止め輪８によって可動ケース７外側面に回転可能に装着されている。
【００３８】
さらに、９はコイル状で鋼線製のばねで、可動体２５右側面と可動ケース７内側面の間にやや撓んだ状態で装着され、このばね９によって、可動体２５が左方の固定体１の方向へ付勢されている。
【００３９】
そして、１０は略円筒状で金属製の反転体、１１は略円盤状の解除体で、反転体１０の外周右端部には右方へ突出した略三角形状の一対の反転カム１２が、解除体１１の外周右端部には同じく一対の解除カム１３が各々形成されている。
【００４０】
また、反転体１０内には固定体１が挿通され、反転体１０が固定体１外周にガイドされて軸線方向へ移動可能に、解除体１１が回転可能なように、各々固定ケース４に装着されている。
【００４１】
さらに、この反転体１０の反転カム１２上側の傾斜部には、ばね９によって左方向へ付勢された可動体２５の、可動カム２６の外周側の当接部２６Ｂ先端が弾接すると共に、この当接部２６Ｂよりも左方向に突出形成された内周側の当接部２６Ａと、固定カム２の間には間隙が殆んどないように形成されている。
【００４２】
そして、１４は鋼線製の巻ばねで、やや捩られた状態で一端が解除体１１に係止されると共に、この巻ばね１４によって解除体１１が所定角度に復帰するように形成されている。
【００４３】
また、１５は外周右端部に右方へ突出した一対の押圧カム１６が形成された押圧体で、固定軸３左端に軸線方向へ移動可能に装着されると共に、この押圧体１５がやや撓んだ状態のコイル状のばね１７に付勢され、左端が固定ケース４から左方へ突出して、開閉装置３０が構成されている。
【００４４】
そして、このように構成された開閉装置３０が、例えば、図５の携帯電話の斜視図に示すように、固定ケース４が、上面に複数のキーが配列された操作部２１Ａやマイクロフォン等の音声入力部２１Ｂが形成された固定筐体２１へ、可動ケース７が、前面に液晶表示素子等の表示部２２Ａやスピーカ等の音声出力部２２Ｂが形成された可動筐体２２へ各々固着される。
【００４５】
また、押圧体１５には押釦が装着され、この押釦が固定筐体２１側面から突出すると共に、上記のように開閉装置３０によって、固定筐体２１上端に可動筐体２２下端が開閉可能に軸支されて電子機器が構成される。
【００４６】
以上の構成において、図１や図４（ａ）のカム動作図に示すように、可動カム２６の外周側の当接部２６Ｂ先端が、反転カム１２上側の傾斜部に弾接した状態では、可動体２５がばね９によって上方向の閉方向へ付勢されているため、可動ケース７が装着された可動筐体２２には閉方向への付勢力が働き、可動筐体２２が固定筐体２１に対して閉じた状態で保持されている。
【００４７】
また、この閉状態から、指で固定筐体２１側面の押釦を押圧操作すると、押釦が装着された押圧体１５の押圧カム１６が解除カム１３を押圧して、図４（ｂ）に示すように、解除体１１が巻ばね１４を撓めながら回転し、解除カム１３が反転体１０左端から外れて、反転カム１２が左方向へ移動し可動カム２６の当接部２６Ｂ先端から離れる。
【００４８】
このため、図４（ｃ）に示すように、ばね９に付勢された可動カム２６が左方向へ移動して、当接部２６Ａ先端が固定カム２の下側の傾斜部に弾接するが、この時、上述したように、反転カム１２に弾接していた外周側の当接部２６Ｂよりも、左方向に突出形成された内周側の当接部２６Ａと、固定カム２の間には間隙が殆んどないように形成されているため、当接部２６Ａの固定カム２への衝突による音や衝撃は殆んど生じない。
【００４９】
つまり、押釦の押圧操作によって反転カム１２が移動した後に、固定カム２に弾接する可動カム２６の内周側の当接部２６Ａが、反転カム１２に弾接していた外周側の当接部２６Ｂよりも、固定カム２の方向に突出形成され、当接部２６Ａと固定カム２との間隙が殆んどないようになっているため、当接部２６Ａの固定カム２への衝突がなく、開閉操作時の音や衝撃が殆んど発生しないように構成されている。
【００５０】
そして、この後、図４（ｄ）に示すように、可動カム２６の当接部２６Ａ先端が、固定カム２の下側の傾斜部上を弾接摺動して下方向へ回転することによって、可動体２５及び可動ケース７が下方向の開方向へ付勢され、この力によって可動筐体２２には開く方向の力が加わり、可動筐体２２が固定筐体２１に対して所定角度、例えば通話等の行い易い１８０度近くに開いた状態で保持される。
【００５１】
また、この開状態から、可動筐体２２を手で閉じる方向へ押圧して所定角度まで閉じると、上記とは逆に、可動カム２６の当接部２６Ａが固定カム２上を上方向へ弾接摺動した後、当接部２６Ｂが反転カム１２上側の傾斜部に弾接して、図１や図４（ａ）に示した状態に戻り、可動筐体２２が携帯し易い閉じた状態で保持される。
【００５２】
つまり、手による開閉操作に加え、可動筐体２２を開く際には、押釦の押圧操作によって、反転カム１２を左右方向、すなわち軸線方向に移動させて、可動筐体２２をワンタッチで開く、所謂ワンタッチオープン操作が行えるように構成されている。
【００５３】
そして、このようなワンタッチオープン操作を行った際、上述したように、固定カム２に弾接する可動カム２６の内周側の当接部２６Ａが、反転カム１２に弾接する外周側の当接部２６Ｂよりも固定カム２方向に突出形成され、当接部２６Ａと固定カム２との間隙が殆んどないように形成されているため、当接部２６Ａの固定カム２への衝突による開閉操作時の音や衝撃が殆んど生じないようになっている。
【００５４】
すなわち、ワンタッチオープン操作時の、可動カム２６の固定カム２への衝突を防ぎ、開閉操作時の音や衝撃の殆んどない、良好な感触での操作を行うことが可能なように構成されている。
【００５５】
また、可動カム２６の当接部２６Ａを当接部２６Ｂよりも固定カム２方向に突出形成し、当接部２６Ａと固定カム２との間隙が殆んどないようにすることによって、可動カム２６の移動量を少なくし、軸線方向の寸法を短く形成することも可能なようになっている。
【００５６】
このように本実施の形態によれば、可動カム２６の固定カム２に弾接する当接部２６Ａを、反転カム１２に弾接する当接部２６Ｂよりも、固定カム２方向に突出形成することによって、反転カム１２が移動した後に固定カム２に弾接する当接部２６Ａが、反転カム１２に弾接する当接部２６Ｂよりも固定カム２方向に突出形成され、当接部２６Ａと固定カム２との間隙が殆んどないように形成されているため、反転カム１２が移動した後の当接部２６Ａの固定カム２への衝突が生じず、開閉操作時の音や衝撃が少なく、良好な感触で操作を行うことが可能な開閉装置を得ることができるものである。
【００５７】
なお、以上の説明では、固定体１と反転体１０の外周右端部に一対の固定カム２と反転カム１２を、可動体２５の外周左端部に一対の可動カム２６を各々形成し、これらを弾接させる構成について説明したが、可動体２５の外周または内周にピン状の可動カムを突出形成し、これを固定体１や反転体１０の内周または外周に形成した固定カムや反転カムに弾接させる構成としても、本発明の実施は可能である。
【産業上の利用可能性】
【００５８】
本発明による開閉装置は、開閉操作時の音や衝撃が少なく、良好な感触の操作が可能なものを得ることができ、主に各種電子機器に使用される開閉装置として有用である。
【符号の説明】
【００５９】
１  固定体
２  固定カム
３  固定軸
４  固定ケース
７  可動ケース
８  止め輪
９  ばね
１０  反転体
１１  解除体
１２  反転カム
１３  解除カム
１４  巻ばね
１５  押圧体
１６  押圧カム
１７  ばね
２１  固定筐体
２１Ａ  操作部
２１Ｂ  音声入力部
２２  可動筐体
２２Ａ  表示部
２２Ｂ  音声出力部
２５  可動体
２６  可動カム
２６Ａ、２６Ｂ  当接部
３０  開閉装置
【図１】
2010249285.tif 000003
【図２】
2010249285.tif 000004
【図３】
2010249285.tif 000005
【図４】
2010249285.tif 000006
【図５】
2010249285.tif 000007
【図６】
2010249285.tif 000008
【図７】
2010249285.tif 000009